(57)【要約】【課題】陰圧治療装置の動作状態に生じた異常に対し、迅速且つ最適な対応を実現できる異常警告システム及び異常警告方法を提供すること。【解決手段】創傷部Ｗを覆う被覆シートＳの内側を陰圧状態に保ちながら、被覆シートＳの内側から流体を排出する陰圧治療装置１において、その動作状態に関する異常を警告する異常警告システム１０及び異常警告方法であって、陰圧治療装置１の動作状態に関する異常を検知する一又は複数の検知部１１と、検知部１１で検知された異常に関する情報に基づいて異常内容を特定する制御部１２と、制御部１２で特定された異常内容に応じた警告情報を発信する発信部１３と、発信部１４から発信された警告情報を受信する受信部１４と、を備える。【選択図】図１
2014210020.tif 000002
【特許請求の範囲】
【請求項１】
創傷部を覆う被覆シートの内側を陰圧状態に保ちながら、該被覆シートの内側から流体を排出する陰圧治療装置において、その動作状態に関する異常を警告する異常警告システムであって、
前記陰圧治療装置の動作状態に関する異常を検知する一又は複数の検知部と、
前記検知部で検知された異常に関する情報に基づいて異常内容を特定する制御部と、
前記制御部で特定された異常内容に応じた警告情報を発信する発信部と、
前記発信部から発信された前記警告情報を受信する受信部と、
を備えることを特徴とする異常警告システム。
【請求項２】
前記検知部が、前記流体に含まれる液体を収容する容器の満杯状態を検知する満杯検知センサを含むことを特徴とする請求項１に記載の異常警告システム。
【請求項３】
前記検知部が、前記被覆シートの内側の圧力又は前記容器内の圧力を計測する圧力センサを含むことを特徴とする請求項１又は請求項２に記載の異常警告システム。
【請求項４】
前記警告情報に付随する特定情報を予め記憶させておく記憶部を備え、
前記発信部が、前記警告情報とともに前記特定情報を発信することを特徴とする請求項１から請求項３の何れか一つに記載の異常警告システム。
【請求項５】
前記発信部が、前記警告情報に対する対応がなされた旨の情報を発信することを特徴とする請求項１から請求項４の何れか一つに記載の異常警告システム。
【請求項６】
前記発信部が、前記陰圧治療装置の動作状態が正常である旨の情報を定期的に発信することを特徴とする請求項１から請求項５の何れか一つに記載の異常警告システム。
【請求項７】
創傷部を覆う被覆シートの内側を陰圧状態に保ちながら、該被覆シートの内側から流体を排出する陰圧治療装置において、その動作状態に関する異常を警告する異常警告方法であって、
前記陰圧治療装置の動作状態に関する異常を検知する検知ステップと、
前記検知ステップで検知された異常に関する情報に基づいて異常内容を特定する特定ステップと、
前記特定ステップで特定された異常内容に応じた警告情報を発信する発信ステップと、
前記発信ステップで発信された前記警告情報を受信する受信ステップと、
を含むことを特徴とする異常警告方法。
【請求項８】
前記検知ステップにおいて、前記流体に含まれる液体を収容する容器の満杯状態を検知することを特徴とする請求項７に記載の異常警告方法。
【請求項９】
前記検知ステップにおいて、前記被覆シートの内側の圧力又は前記容器内の圧力を計測することを特徴とする請求項７又は請求項８に記載の異常警告方法。
【請求項１０】
前記警告情報に付随する特定情報を予め記憶部に記憶させておき、
前記発信ステップにおいて、前記警告情報とともに前記特定情報を発信することを特徴とする請求項７から請求項９の何れか一つに記載の異常警告方法。
【請求項１１】
前記発信ステップにおいて、前記警告情報に対する対応がなされた旨の情報を発信することを特徴とする請求項７から請求項１０の何れか一つに記載の異常警告方法。
【請求項１２】
前記発信ステップにおいて、前記陰圧治療装置の動作状態が正常である旨の情報を定期的に発信することを特徴とする請求項７から請求項１１の何れか一つに記載の異常警告方法。
【発明の詳細な説明】
【技術分野】
【０００１】
本発明は、陰圧治療装置の異常警告システム及び異常警告方法に関するものである。
【背景技術】
【０００２】
従来、陰圧治療装置として、皮膚潰瘍や組織欠損等の創傷部を覆う被覆シートの内側を陰圧状態に保ちながら、創傷部から滲出する体液を吸引し、被覆シートの内側から排出する治療装置が知られている。かかる陰圧治療装置によれば、壊死細胞や細菌等を創傷部から吸引除去するとともに、陰圧によって創傷部の血流を促進し、創傷部の治療効果を高めることができる。
【０００３】
ところで、かかる創傷部の治療では、陰圧治療装置を継続的に動作させておく必要があり、治療に要する期間は、創傷部の初期症状や治癒の進捗次第で数ヶ月間にわたることも少なくない。このため、当該治療中に、陰圧治療装置の動作状態に何らかの異常が生じる可能性があることを想定しておく必要がある。通常、陰圧治療装置には、動作状態に異常が生じたことを知らせるために、警告灯や警告ブザー等の警告手段が設けられている。
【０００４】
しかしながら、長期にわたる治療期間においては、医師や看護師等がそばにいない状況下で陰圧治療装置の動作状態に異常が生じることも想定される。その場合、これらの警告手段だけでは、医師や看護師等に異常の発生を必ずしも迅速且つ確実に知らせることができるとは限らず、患者自らが異常の発生を知らせるための行動をとらなければ、医師や看護師等が異常の発生に気付くまでに相当の時間を要してしまうおそれがある。
【０００５】
そこで、患者が異常の発生を知らせるための手段として、種々の呼出態様に対応できる多機能呼出スイッチ（特許文献１）や、個々の看護師に対する個別通信が可能なナースコールシステム（特許文献２）が開示されている。これらの技術を採用すれば、たとえ身動きが自由にとれないほど重篤な症状の患者であっても、患者自らが異常の発生を医師や看護師に知らせるための行動をとることが可能となる。
【０００６】
ところが、陰圧治療装置が実際に使用される現場では、患者への配慮等の理由から、あえて警告手段を機能させない状態で陰圧治療装置を動作させておく場合がある。例えば、消灯時間経過後の時間帯での治療や、複数の患者が入院する相部屋での治療などに使用する場合が挙げられる。かかる状況において陰圧治療装置の動作状態に異常が生じると、患者自身も異常の発生に気付かないまま相当の時間が経過し、当該異常に対する対応が大幅に遅れてしまうおそれがある。
【０００７】
陰圧治療装置の動作状態に異常が生じると、本来行われるべき治療が正常に行われていない状況に陥る。かかる状況が長時間続くと、感染症等を発症する危険性が高まるとともに、創傷部の症状をかえって悪化させてしまうおそれもある。したがって、そのような事態を回避するためには、発生した異常内容に応じた最適な対応を可能な限り迅速に行い、陰圧治療装置の動作状態を一刻も早く正常な状態へ復帰させることが望ましい。
【先行技術文献】
【特許文献】
【０００８】
【特許文献１】実用新案登録第３１７０８６７号公報
【特許文献２】特開２００９−２１２８１３号公報
【発明の概要】
【発明が解決しようとする課題】
【０００９】
本発明は、かかる事情に鑑みて為されたものであり、陰圧治療装置の動作状態に生じた異常に対し、迅速且つ最適な対応を実現できる異常警告システム及び異常警告方法を提供することを目的とする。
【課題を解決するための手段】
【００１０】
本発明は、創傷部を覆う被覆シートの内側を陰圧状態に保ちながら、該被覆シートの内側から流体を排出する陰圧治療装置において、その動作状態に関する異常を警告する異常警告システムであって、前記陰圧治療装置の動作状態に関する異常を検知する一又は複数の検知部と、前記検知部で検知された異常に関する情報に基づいて異常内容を特定する制御部と、前記制御部で特定された異常内容に応じた警告情報を発信する発信部と、前記発信部から発信された前記警告情報を受信する受信部と、を備えることを特徴とする。
【００１１】
本発明の異常警告システムは、前記検知部が、前記流体に含まれる液体を収容する容器の満杯状態を検知する満杯検知センサを含むことを特徴とする。
【００１２】
本発明の異常警告システムは、前記検知部が、前記被覆シートの内側の圧力又は前記容器内の圧力を計測する圧力センサを含むことを特徴とする。
【００１３】
本発明の異常警告システムは、前記警告情報に付随する特定情報を予め記憶させておく記憶部を備え、前記発信部が、前記警告情報とともに前記特定情報を発信することを特徴とする。
【００１４】
本発明の異常警告システムは、前記発信部が、前記警告情報に対する対応がなされた旨の情報を発信することを特徴とする。
【００１５】
本発明の異常警告システムは、前記発信部が、前記陰圧治療装置の動作状態が正常である旨の情報を定期的に発信することを特徴とする。
【００１６】
また、本発明は、創傷部を覆う被覆シートの内側を陰圧状態に保ちながら、該被覆シートの内側から流体を排出する陰圧治療装置において、その動作状態に関する異常を警告する異常警告方法であって、前記陰圧治療装置の動作状態に関する異常を検知する検知ステップと、前記検知ステップで検知された異常に関する情報に基づいて異常内容を特定する特定ステップと、前記特定ステップで特定された異常内容に応じた警告情報を発信する発信ステップと、前記発信ステップで発信された前記警告情報を受信する受信ステップと、を含むことを特徴とする。
【００１７】
本発明の異常警告方法は、前記検知ステップにおいて、前記流体に含まれる液体を収容する容器の満杯状態を検知することを特徴とする。
【００１８】
本発明の異常警告方法は、前記検知ステップにおいて、前記被覆シートの内側の圧力又は前記容器内の圧力を計測することを特徴とする。
【００１９】
本発明の異常警告方法は、前記警告情報に付随する特定情報を予め記憶部に記憶させておき、前記発信ステップにおいて、前記警告情報とともに前記特定情報を発信することを特徴とする。
【００２０】
本発明の異常警告方法は、前記発信ステップにおいて、前記警告情報に対する対応がなされた旨の情報を発信することを特徴とする。
【００２１】
本発明の異常警告方法は、前記発信ステップにおいて、前記陰圧治療装置の動作状態が正常である旨の情報を定期的に発信することを特徴とする。
【発明の効果】
【００２２】
本発明に係る陰圧治療装置の異常警告システム及び異常警告方法によれば、陰圧治療装置の動作状態に異常が生じたとしても、既存の警告手段とは別に、異常の発生を知らせる警告情報が自動的に発信される。そのため、患者自らが異常の発生を知らせるための行動をとらなくても、医師や看護師等に異常の発生を確実に知らせることができ、異常に対する対応が大幅に遅れてしまうような事態を回避することができる。また、異常内容まで特定した警告情報を発信するように構成されているため、陰圧治療装置の動作状態に生じた異常に対し、医師や看護師等による迅速且つ最適な対応が可能となる。
【００２３】
また、本発明において、検知部が、流体に含まれる液体を収容する容器の満杯状態を検知する満杯検知センサを含むように構成すれば、吸引手段の継続作動が不可能となる異常を検知し、陰圧治療装置の装置内部へ排液が流入するような事態を未然に防ぐことができる。これにより、吸引手段などの各種構成機器の故障等を防止することができ、陰圧治療装置の稼働効率を一定水準以上に維持することができる。また、装置全体を廃棄処分せざるを得ないような状況も回避できるため、再投資等にかかる費用の抑制に貢献することができる。
【００２４】
検知部が、被覆シートの内側の圧力又は容器内の圧力を計測する圧力センサを含むように構成すれば、被覆シートで覆われた内側の圧力状態に関する異常を検知し、創傷部に対して医師からの処方箋とは異なる治療が行われる状態になる時間を大きく短縮することができる。これにより、陰圧治療装置を用いた創傷部の治療における当該装置の有効稼働率をより一層高めることが可能となる。
【００２５】
発信部が、警告情報とともに特定情報を発信するように構成すれば、経験的・人為的な差異が生じやすい内容についての対応（例えば、異常内容の特定、これに応じた最適な対処方法の選択などの判断）を省略することが可能となる。これにより、医師や看護師等による異常への対応の迅速性及び正確性をさらに高められると同時に、当該対応のクオリティーの経験的・人為的な差異を大幅に低減することができる。
【００２６】
発信部が、警告情報に対する対応がなされた旨の情報を発信するように構成すれば、異常発生後における当該異常に対する対応状況を医師や看護師等が容易に確認することが可能となる。これにより、医師や看護師等による重複対応等の無駄な動きを省略することができると同時に、発生した異常に対する対応が何ら行われないまま放置されるのを確実に防止することができる。
【００２７】
発信部が、陰圧治療装置の動作状態が正常である旨の情報を定期的に発信するように構成すれば、医師や看護師等が患者のそばから離れた場所にいる状況であっても、医師や看護師等は、陰圧治療装置の動作状態を常に間接的に確認することができる。これにより、陰圧治療装置を用いた創傷部の治療を行っている患者を遠隔的に看視することが可能となる。
【図面の簡単な説明】
【００２８】
【図１】本実施形態に係る異常警告システムを示す概略構成図である。
【図２】本実施形態に係る異常警告システムの構成ブロック図である。
【図３】本実施形態に係る異常警告システムの動作を示すフローチャートである。
【図４】他の実施形態に係る異常警告システムの動作を示すフローチャートである。
【発明を実施するための形態】
【００２９】
以下、本発明に係る陰圧治療装置の異常警告システムの実施形態について図面を用いて説明する。図１及び図２に示すように、本実施形態の異常警告システム１０は、陰圧治療装置１の動作状態に関する異常を警告するものであり、当該異常を検知する検知部１１、異常内容を特定する制御部１２、異常内容に応じた警告情報を発信する発信部１３、及び警告情報を受信する受信部１４を備えている。
【００３０】
陰圧治療装置１は、皮膚潰瘍や組織欠損等の創傷部Ｗを覆う被覆シートＳの内側を陰圧状態に保ちながら、被覆シートＳの内側から流体を排出する装置である。創傷部Ｗには、空気や創傷部Ｗから滲出した体液などの流体を透過可能な多孔質のパッドＰが配置されており、創傷部Ｗ及びパッドＰを被覆するように被覆シートＳが貼着されている。陰圧治療装置１は、吸引流路２ａ，２ｂを通じて被覆シートＳの内側から流体を吸引する吸引手段２と、この吸引手段２により被覆シートＳの内側から排出された流体に含まれる液体（創傷部Ｗから滲出した体液等の排液）を収容する容器３とを備えている。
【００３１】
吸引手段２は、例えば、ダイヤフラム式真空ポンプ、チューブポンプ、ベーンポンプ等から構成され、被覆シートＳで覆われた内側を陰圧状態に保つとともに流体を吸引する。本実施形態では、吸引流路２ａを通じて容器３内の空気を吸引することで容器３内を減圧し、被覆シートＳの内側から引き出された吸引流路２ｂを通じて創傷部Ｗから滲出した体液を吸引する。各吸引流路２ａ，２ｂには、エアリークのない柔軟なチューブ等が用いられている。
【００３２】
容器３は、吸引手段２により吸引された流体に含まれる液体（創傷部Ｗから滲出した体液等の排液）を内部に収容する。容器３は、内部視認性の点から、ガラスや透明樹脂などの透明材料を用いるのが好ましく、排液の廃棄処理等を考慮すれば、安価で消耗品としての取扱いが容易な樹脂製容器を用いるのがより好ましい。また、容器３の内部空間には各吸引流路２ａ，２ｂの開口端部が配置され、これらの吸引流路２ａ，２ｂが容器３の内部空間を介して被覆シートＳの内側から吸引手段２まで連通するように構成されている。
【００３３】
検知部１１は、陰圧治療装置１の動作状態に関する異常を検知する手段である。本実施形態では、排液等の液体が収容された容器３の満杯状態を検知する満杯検知センサ１１１、被覆シートＳで覆われた内側の圧力を計測する圧力センサ１１２、及び容器３内の圧力を計測する圧力センサ１１３を含む複数の検知部１１を備えている。陰圧治療装置１の動作状態に関し、満杯検知センサ１１１は、吸引手段２の継続作動が不可能となる異常を検知する。圧力センサ１１２，１１３は、被覆シートＳで覆われた内側の圧力状態に関する異常（例えば、エアリーク発生や過陰圧状態）を検知する。
【００３４】
制御部１２は、検知部１１で検知された異常に関する情報に基づいて異常内容を特定する手段である。制御部１２は陰圧治療装置１に所望の動作を実行させるプログラムが組み込まれた中央処理装置（ＣＰＵ）等から構成され、陰圧治療装置１の動作状態に関する異常内容の特定のほか、例えば、吸引手段２、検知部１１、及び後述する発信部１３や警告手段４（例えば、警告灯４ａや警告ブザー４ｂ）等の動作制御、あるいは内部メモリ、磁気ディスク、光学ディスク等の情報記憶媒体から成る記憶部１５に記憶された情報を利用した情報処理などを実行する。
【００３５】
本実施形態では、前記各センサ１１１〜１１３からの検知信号に対応する情報が予め記憶部１５に記憶されおり、いずれかのセンサから制御部１２へ送信された検知信号から、その検知信号に対応する情報を取得する情報処理を行うことにより、陰圧治療装置１の動作状態に生じた異常内容を特定する。例えば、満杯検知センサ１１１からの検知信号に対応する情報は、吸引手段２の継続作動が不可能となる異常に対応している。また、圧力センサ１１２，１１３からの検知信号に対応する情報は、計測値が動作設定に応じた閾値の範囲の上限値を超えた場合と下限値を下回った場合とを区別させたうえで、エアリーク発生及び過陰圧状態にそれぞれ対応させればよい。
【００３６】
発信部１３は、制御部１２で特定された異常内容に応じた警告情報を発信する手段である。発信部１３は、例えば、外部通信コントローラ等で構成され、陰圧治療装置１の外部に設置された受信部１４との通信を可能にする。本実施形態において発信部１３は、配線等の取回し制限を受け難い無線通信方式を採用する方が望ましいが、陰圧治療装置１の使用環境に応じて有線通信方式を採用してもよい。
【００３７】
本実施形態では、制御部１２で行われた情報処理によって記憶部１５から取得された情報を、そのまま警告情報として利用するように構成されている。また、発信部１３は、検知部１１からの検知信号をトリガとして制御部１２から送信される処理信号に基づいて警告情報の発信を実行するように構成されている。これにより、制御部１２に組み込まれる情報処理プログラムの複雑化を回避しつつ、発信部１３から受信部１４へ正確な警告情報を自動的に発信することが可能となる。したがって、患者自らが異常の発生を知らせるための行動をとる必要はない。
【００３８】
受信部１４は、発信部１３から発信された警告情報を受信する手段である。受信部１４は、例えば、ナースコールシステム等で採用されている既存の中継機１４１を通じて警告情報を受信する複数の携帯型受信端末機１４２で構成され、警告情報を医師や看護師等に知らせるための情報伝達手段としての機能を有する。なお、受信部１４は、中継機１４１を介さずに発信部１３と携帯型受信端末機１４２とを直接通信させる形態で実施することも可能である。
【００３９】
本実施形態では、陰圧治療装置１の動作状態に異常が発生した事実と併せて、その異常内容まで具体的に特定された警告情報を受信部１４で同時に受信することができる。そのため、陰圧治療装置１の動作状態に発生した異常に対し、最適な対応をより迅速に行うことが可能となり、異常発生に伴う創傷部Ｗの治療への悪影響を最小限に抑えることができる点で有利である。
【００４０】
次に、本発明に係る異常警告方法の実施形態について、本実施形態の異常警告システム１０の動作とともに説明する。
【００４１】
図３に示すように、本実施形態の異常警告方法は、陰圧治療装置１の動作状態に関する異常を警告する方法であり、当該異常を検知する検知ステップＳ１１、異常内容を特定する特定ステップＳ１２、異常内容に応じた警告情報を発信する発信ステップＳ１３、及び警告情報を受信する受信ステップＳ１４を含む。
【００４２】
陰圧治療装置１は、医師からの処方箋に基づく所定の動作設定で吸引手段２を動作させ、吸引流路２ａを通じて容器３内の空気を吸引することで容器３内を減圧し、被覆シートＳで覆われた内側から引き出された吸引流路２ｂを通じて創傷部Ｗから滲出した体液を吸引する（Ｓ０）。こうして被覆シートＳの内側から吸引排出された排液は、吸引流路２ｂの開口端部から滴下し、容器３の内部へ収容される。容器３が排液で満杯になれば、新たな容器３に取り替えるか、あるいは、容器３内から排液を排出し、既に収容された排液を廃棄する。
【００４３】
ここで、陰圧治療装置１の動作状態に何らかの異常が生じると、以下のような弊害を誘発する場合がある。例えば、容器３が排液で満杯状態になると装置内部へ排液が流入するおそれが高まるため、吸引手段２の継続作動が不可能となる異常を引き起こす。排液が装置内部へ流入すれば吸引手段２などの構成機器を故障させる要因となるが、感染症など衛生面の問題から修理等では対応できない場合があり、装置全体を廃棄処分せざるを得なくなる可能性もある。
【００４４】
また、被覆シートＳで覆われた内側の圧力状態に異常（エアリークの発生や過陰圧状態など）が生じると、本来行われるべき治療が正常に行われていない状況に陥る。かかる状況が長時間続くと所望の治療効果が得られないばかりか、感染症等を発症する危険性が高まり、創傷部の症状をかえって悪化させてしまうおそれもある。
【００４５】
陰圧治療装置１は、ある程度長期間にわたって継続的に行う創傷部Ｗの治療のために用いられる医療機器であるため、長時間の治療中断を余儀なくされる事態に陥ると創傷部Ｗの効果的な治療を行うことができない。そこで、本実施形態では、陰圧治療装置１の動作状態に関する異常を、以下のようにして医師や看護師等に警告する。
【００４６】
初めに、検知ステップＳ１１として、陰圧治療装置１の動作状態に関する異常を検知する。ここで検知される異常としては、例えば、容器３の内部が排液で満杯状態になったことで吸引手段２の継続作動が不可能となる異常、被覆シートＳで覆われた内側や吸引流路２ａ，２ｂにおいてエアリークや過陰圧状態が発生する異常などが挙げられる。これらの異常は、上述した満杯検知センサ１１１及び圧力センサ１１２，１１３により検知することができる。異常が検知されない場合には、陰圧治療装置１の動作状態を維持する。
【００４７】
次に、検知ステップＳ１１で何らかの異常が検知された場合は、特定ステップＳ１２として、検知ステップＳ１１において検知された異常に関する情報に基づいて異常内容を特定する。本実施形態では、前記各センサ１１１〜１１３からの検知信号に対応する情報を予め記憶部１５に記憶させておき、いずれかのセンサから制御部１２へ送信された検知信号から、その検知信号に対応する情報を取得する情報処理を行うことで、陰圧治療装置１の動作状態に生じた異常内容を特定する。
【００４８】
例えば、満杯検知センサ１１１からの検知信号に対応する情報は、吸引手段２の継続作動が不可能となる異常に対応させる。また、圧力センサ１１２，１１３からの検知信号に対応する情報は、計測値が動作設定に応じた閾値の範囲の上限値を超えた場合と下限値を下回った場合とを制御部１２で区別させたうえで、エアリーク発生及び過陰圧状態にそれぞれ対応させればよい。かかる特定方法を採用することで、複雑な情報処理を要することなく、陰圧治療装置１の動作状態に生じた異常内容を容易且つ確実に特定することが可能となる。
【００４９】
続いて、発信ステップＳ１３として、特定ステップＳ１２において特定された異常内容に応じた警告情報を受信部１４へ発信する。本実施形態では、異常内容を特定するために制御部１２で行われた情報処理によって記憶部１５から取得した情報を、そのまま警告情報として利用する。また、発信部１３を、検知部１１からの検知信号をトリガとして制御部１２から送信される処理信号に基づいて警告情報の発信を実行させる。これにより、患者自らが異常の発生を知らせるための行動をとることなく、発信部１３から受信部１４へ正確な警告情報を自動的に発信することができるという利点が得られる。
【００５０】
次に、受信ステップＳ１４として、発信ステップＳ１３において発信された警告情報を受信する。本実施形態では、発信部１３から発信された警告情報を受信部１４で受信する際、その警告情報には、陰圧治療装置１の動作状態に異常が発生した事実と併せて、具体的に特定された異常内容に関する情報も含まれている。そのため、陰圧治療装置１の動作状態に発生した異常に対し、最適な対応をより迅速に行うことが可能となり、異常発生に伴う創傷部Ｗの治療への悪影響を最小限に抑えることができる点で有利である。
【００５１】
このように、本実施形態の異常警告システム１０及び異常警告方法によれば、陰圧治療装置１の動作状態に異常が生じたとしても、既存の警告手段４とは別に、異常の発生を知らせる警告情報が自動的に発信される。そのため、患者自らが異常の発生を知らせるための行動をとらなくても、医師や看護師等に異常の発生を確実に知らせることができる。したがって、患者自身が異常の発生に気付かないまま相当の時間が経過し、当該異常に対する対応が大幅に遅れてしまうような事態を回避することができる。
【００５２】
しかも、本実施形態では、陰圧治療装置１の動作状態に生じた異常内容まで特定した警告情報を発信するように構成されている。これにより、陰圧治療装置１の動作状態に生じた異常に対し、医師や看護師等による迅速且つ最適な対応が実現できるため、異常発生に伴う創傷部Ｗの治療への悪影響を最小限に抑えつつ、陰圧治療装置１の動作状態を正常な状態へ早期回復させることができる。
【００５３】
また、検知部１１として満杯検知センサ１１１を用いることで、吸引手段２の継続作動が不可能となる異常を検知し、陰圧治療装置１の装置内部へ排液が流入するような事態を未然に防ぐことができる。これにより、吸引手段２などの各種構成機器の故障等を防止することができ、陰圧治療装置１の稼働効率を一定水準以上に維持することができる。また、装置全体を廃棄処分せざるを得ないような状況も回避できるため、再投資等にかかる費用の抑制に貢献することができる。
【００５４】
さらに、検知部１１として圧力センサ１１２，１１３を用いることで、被覆シートＳで覆われた内側の圧力状態に関する異常を検知し、創傷部Ｗに対して医師からの処方箋とは異なる治療が行われる状態になる時間を大きく短縮することができる。これにより、陰圧治療装置１を用いた創傷部Ｗの治療における当該装置の有効稼働率をより高めることが可能となる。
【００５５】
以上、本実施形態に係る異常警告システム１０及び異常警告方法について説明したが、本発明は、その他の形態で実施することができる。
【００５６】
例えば、上述した異常警告システム１０において、図４に示すように、制御部１２により特定される各種異常内容に応じた対処マニュアル等、上述した警告情報に付随する情報を、「特定情報」として予め記憶部１５に記憶させておき、発信部１３が、警告情報とともに当該特定情報を発信するように構成してもよい（Ｓ２３）。
【００５７】
特定情報の具体例としては、満杯検知センサ１１１で検知された異常に対する「容器３の交換手順」、圧力センサ１１２，１１３で検知された異常に対する「陰圧治療装置１の操作手順」や「異常箇所の確認手順」等が挙げられる。そのほか「担当医師の氏名」や「治療履歴（電子カルテ）」等の患者に関する情報が含まれていてもよい。これらの特定情報は、警告情報とともに受信部１４において受信することができる（Ｓ２４）。
【００５８】
通常、発生した異常内容に関する情報が何ら存在しない状況下での対応が求められた場合において、経験豊富な医師と経験の浅い看護師とでは、例えば、異常内容の特定、当該異常に応じた最適な対処方法の選択などの判断スピードに大きな差異が生じる可能性が高い。しかしながら、かかる実施形態によれば、経験的・人為的な差異が生じやすいこれらの判断を行う対応を省略することが可能であり、医師や看護師等による異常への対応の迅速性及び正確性をさらに高められると同時に、当該対応のクオリティーの差異を大幅に低減することができる。
【００５９】
また、上述した異常警告システム１０において、図４に示すように、発信部１３が、警告情報に対する対応がなされた旨の情報を発信するように構成し、対応済み情報が受信部１４で受信されない場合には、警告情報（及び特定情報）を一定時間経過毎に定期的に自動再発信するようにしてもよい（Ｓ３５、Ｓ３６）。
【００６０】
具体的には、図２に示すように、陰圧治療装置１に設けられた入力部１６において認証パスワード等を入力し、表示部１７において対応済み情報の発信が完了したか否かを確認する形態が挙げられる。入力部１６及び表示部１７として、両者の機能を併せ持つタッチパネルを採用した形態であってもよい。また、磁気認証や生体認証などを行う認証部（図示省略）を設け、認証信号をトリガとして対応済み情報を発信部１３から自動的に発信する形態を採用することもできる。あるいは、満杯検知センサ１１１の検知信号や圧力センサ１１２，１１３の計測値等から、正常な動作状態に回復したか否かを制御部１２で判別し、対応済み情報を自動発信するように構成してもよい。
【００６１】
かかる実施形態によれば、異常発生後における当該異常に対する対応状況を医師や看護師等が容易に確認することが可能となる。これにより、医師や看護師等による重複対応等の無駄な動きを省略することができると同時に、発生した異常に対する対応が何ら行われないまま放置されるのを確実に防止することができる。
【００６２】
さらに、上述した異常警告システム１０において、発信部１３が、陰圧治療装置１の動作状態が正常である旨の情報を定期的に発信するように構成してもよい。例えば、陰圧治療装置１の継続作動中、制御部１２により異常発生の有無を定期的に確認させ、この確認処理を行った時点で異常発生が認められない場合は、発信部１３を通じて受信部１４へその旨の情報を送信させる形態を採用することができる。なお、制御部１２により確認処理を行った時点で異常発生の事実が認められた場合には、別段何らかの情報を発信する必要はない。その場合、既に警告情報（及び特定情報）が発信されているためである。
【００６３】
かかる実施形態によれば、医師や看護師等が患者のそばから離れた場所にいる状況であっても、医師や看護師等は、陰圧治療装置１の動作状態を常に間接的に確認することができる。これにより、陰圧治療装置１を用いた創傷部Ｗの治療を行っている患者を遠隔的に看視することが可能となる。
【００６４】
尚、本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【００６５】
例えば、図２に示すように、陰圧治療装置１は、患者の創傷部Ｗの症状次第で、洗浄液バッグから供給流路を通じて供給された流体（洗浄液）を、送出流路を通じて創傷部Ｗを覆う被覆シートＳの内側へ送出する送出手段５を備えたものを使用してもよい。送出手段５は、チューブポンプ、ピストンポンプ、ダイアフラムポンプ、あるいはベーンポンプ等の定量ポンプを採用することができる。
【００６６】
また、陰圧治療装置１は、備え付け式のものであってもよく、あるいはバッテリー等を動力源とする携行式のものであってもよい。陰圧治療装置１が携行式である場合には、動力消失に伴い陰圧治療装置１が自動停止してしまうおそれがある。このため、図２に示すように、検知部１１がバッテリー残量計測手段１１４を含む形態で実施するのがより好ましい。これにより、装置停止に起因する異常の発生を未然に防止することができる。
【符号の説明】
【００６７】
１０：異常警告システム
１  ：陰圧治療装置
２  ：吸引手段
３  ：容器
４  ：警告手段
５  ：送出手段
１１：検知部
１２：制御部
１３：発信部
１４：受信部
１５：記憶部
１１１：満杯検知センサ
１１２、１１３：圧力センサ
Ｗ  ：創傷部
Ｓ  ：被覆シート
【図１】
2014210020.tif 000003
【図２】
2014210020.tif 000004
【図３】
2014210020.tif 000005
【図４】
2014210020.tif 000006